(57)【特許請求の範囲】
【請求項１】
現金処理装置であって、
現金を回収するための、着脱可能な回収カセットと、
現金を排出するための出金口と、
ユーザにより設定された設定枚数と収納されている現金のうち前記現金処理装置外へ搬送対象の第１の現金の枚数との比較に基づいて、前記回収カセットへ前記第１の現金を搬送させるカセット回収処理と、前記出金口へ前記第１の現金を搬送させる出金口回収処理のいずれを実行するかを決定する制御部と、
を備える、現金処理装置。
【請求項２】
前記制御部は、前記第１の現金の枚数が前記設定枚数よりも大きい場合には、前記カセット回収処理を実行し、
前記第１の現金の枚数が前記設定枚数以下である場合には、前記出金口回収処理を実行する、請求項１に記載の現金処理装置。
【請求項３】
前記現金処理装置は、投入された現金を収納するリサイクルカセットをさらに備え、
前記第１の現金は、前記カセット回収処理の実行時において前記回収カセットに収納されている紙幣の枚数が所定の上限枚数に達した際における、前記リサイクルカセットに収納されている現金のうち前記現金処理装置外へ搬送対象の現金である、請求項１または２に記載の現金処理装置。
【請求項４】
現金処理装置であって、
現金を回収するための、着脱可能な回収カセットと、
現金を排出するための出金口と、
前記出金口に設定されている一回の出金の制限枚数と収納されている現金のうち前記現金処理装置外へ搬送対象の第１の現金の枚数との比較に基づいて、前記回収カセットへ前記第１の現金を搬送させるカセット回収処理と、前記出金口へ前記第１の現金を搬送させる出金口回収処理のいずれを実行するかを決定する制御部と、
投入された現金を収納するリサイクルカセットと、
を備え、
前記第１の現金は、前記カセット回収処理の実行時において前記回収カセットに収納されている紙幣の枚数が所定の上限枚数に達した際における、前記リサイクルカセットに収納されている現金のうち前記現金処理装置外へ搬送対象の現金である、
現金処理装置。
【請求項５】
前記制御部は、前記第１の現金の枚数が前記制限枚数よりも大きい場合には、前記カセット回収処理を実行し、
前記第１の現金の枚数が前記制限枚数以下である場合には、前記出金口回収処理を実行する、請求項４に記載の現金処理装置。
【請求項６】
現金処理装置であって、
現金を回収するための、着脱可能な回収カセットと、
現金を排出するための出金口と、
収納されている現金のうち前記現金処理装置外へ搬送対象の第１の現金の枚数に基づいて、前記回収カセットと前記出金口のいずれに前記第１の現金を搬送させるかを決定する制御部と、
を備え、
前記制御部は、さらに、取引中の売上入金取引が取り消された際の、前記売上入金取引において前記回収カセットに収納された第２の現金の枚数と、前記出金口に設定されている一回の出金の制限枚数との比較に基づいて、前記第２の現金を前記出金口へ搬送させるか否かを決定する、
現金処理装置。
【請求項７】
前記制御部は、前記回収カセットへ前記第１の現金を搬送させるカセット回収処理と、前記出金口へ前記第１の現金を搬送させる出金口回収処理のいずれを実行するかを前記第１の現金の枚数に基づいて決定する、請求項６に記載の現金処理装置。
【請求項８】
前記制御部は、前記第２の現金の枚数が前記制限枚数よりも大きい場合には、前記回収カセットの抜き取りを誘導するための制御を実行し、
前記第２の現金の枚数が前記制限枚数以下である場合には、前記第２の現金を前記出金口へ搬送させる、請求項６または７に記載の現金処理装置。
【発明の詳細な説明】
【技術分野】
【０００１】
本発明は、現金処理装置に関する。
【背景技術】
【０００２】
近年、例えば小売店やスーパーマーケットなどの商業施設および流通施設において、キャッシュレジスターなどに保管される釣銭準備金を出金し、売上金を入金する現金処理装置が設置されている。
【０００３】
例えば、特許文献１に記載の現金処理装置は、紙幣の回収開始がユーザにより入力された場合には、紙幣の搬送先として回収庫と出金口のいずれかをユーザに選択させ、そして、ユーザにより選択された搬送先へ回収対象の紙幣を搬送する。
【先行技術文献】
【特許文献】
【０００４】
【特許文献１】特開２０１０−１２９００２号公報
【発明の概要】
【発明が解決しようとする課題】
【０００５】
ところで、搬送対象の現金の枚数と現金の回収に要する時間との関係は、搬送先によって異なり得る。しかしながら、特許文献１に記載の技術では、搬送対象の現金の枚数によらずに、ユーザにより選択された搬送先へ固定的に現金を搬送する。このため、特許文献１に記載の技術では、搬送される現金の回収作業の時間がより必要となる搬送先に現金が搬送される恐れがある。
【０００６】
そこで、本発明は、上記問題に鑑みてなされたものであり、本発明の目的とするところは、収納されている現金を回収する場面において、搬送対象の現金の枚数に適応的に搬送先を決定することが可能な、新規かつ改良された現金処理装置を提供することにある。
【課題を解決するための手段】
【０００７】
上記課題を解決するために、本発明のある観点によれば、現金処理装置であって、現金を回収するための、着脱可能な回収カセットと、現金を排出するための出金口と、ユーザにより設定された設定枚数と収納されている現金のうち前記現金処理装置外へ搬送対象の第１の現金の枚数との比較に基づいて、前記回収カセットへ前記第１の現金を搬送させるカセット回収処理と、前記出金口へ前記第１の現金を搬送させる出金口回収処理のいずれを実行するかを決定する制御部と、を備える、現金処理装置が提供される。
【０００８】
前記制御部は、前記第１の現金の枚数が前記設定枚数よりも大きい場合には、前記カセット回収処理を実行し、前記第１の現金の枚数が前記設定枚数以下である場合には、前記出金口回収処理を実行してもよい。
【０００９】
前記現金処理装置は、投入された現金を収納するリサイクルカセットをさらに備え、前記第１の現金は、前記カセット回収処理の実行時において前記回収カセットに収納されている紙幣の枚数が所定の上限枚数に達した際における、前記リサイクルカセットに収納されている現金のうち前記現金処理装置外へ搬送対象の現金であってもよい。
【００１０】
また、本発明の他の観点によれば、現金処理装置であって、現金を回収するための、着脱可能な回収カセットと、現金を排出するための出金口と、前記出金口に設定されている一回の出金の制限枚数と収納されている現金のうち前記現金処理装置外へ搬送対象の第１の現金の枚数との比較に基づいて、前記回収カセットへ前記第１の現金を搬送させるカセット回収処理と、前記出金口へ前記第１の現金を搬送させる出金口回収処理のいずれを実行するかを決定する制御部と、投入された現金を収納するリサイクルカセットと、を備え、前記第１の現金は、前記カセット回収処理の実行時において前記回収カセットに収納されている紙幣の枚数が所定の上限枚数に達した際における、前記リサイクルカセットに収納されている現金のうち前記現金処理装置外へ搬送対象の現金である、現金処理装置が提供される。
【００１１】
前記制御部は、前記第１の現金の枚数が前記制限枚数よりも大きい場合には、前記カセット回収処理を実行し、前記第１の現金の枚数が前記制限枚数以下である場合には、前記出金口回収処理を実行してもよい。
【００１２】
また、本発明の他の観点によれば、現金処理装置であって、現金を回収するための、着脱可能な回収カセットと、現金を排出するための出金口と、収納されている現金のうち前記現金処理装置外へ搬送対象の第１の現金の枚数に基づいて、前記回収カセットと前記出金口のいずれに前記第１の現金を搬送させるかを決定する制御部と、を備え、前記制御部は、さらに、取引中の売上入金取引が取り消された際の、前記売上入金取引において前記回収カセットに収納された第２の現金の枚数と、前記出金口に設定されている一回の出金の制限枚数との比較に基づいて、前記第２の現金を前記出金口へ搬送させるか否かを決定する、現金処理装置が提供される。
【００１３】
前記制御部は、前記回収カセットへ前記第１の現金を搬送させるカセット回収処理と、前記出金口へ前記第１の現金を搬送させる出金口回収処理のいずれを実行するかを前記第１の現金の枚数に基づいて決定してもよい。
【００１４】
前記制御部は、前記第２の現金の枚数が前記制限枚数よりも大きい場合には、前記回収カセットの抜き取りを誘導するための制御を実行し、前記第２の現金の枚数が前記制限枚数以下である場合には、前記第２の現金を前記出金口へ搬送させてもよい。
【発明の効果】
【００１６】
以上説明したように本発明によれば、収納されている現金を回収する場面において、搬送対象の現金の枚数に適応的に搬送先を決定することができる。
【図面の簡単な説明】
【００１７】
【図１】本発明の各実施形態に共通する店舗２の構成例を示した説明図である。
【図２】店舗２での現金処理装置１０の使用の流れの一例を示したフローチャートである。
【図３】各実施形態に共通する現金処理装置１０の構成例を示した説明図である。
【図４】各実施形態に共通する現金処理装置１０の側断面を概略的に示した説明図である。
【図５】各実施形態に共通するメニュー画面の表示例を示した説明図である。
【図６】カセット回収時の紙幣の搬送ルートの一部を示した説明図である。
【図７】カセット回収時の紙幣の搬送ルートの一部を示した説明図である。
【図８】出金口回収時の紙幣の搬送ルートを示した説明図である。
【図９】第１の実施形態による動作を示したフローチャートである。
【図１０】第２の実施形態による動作の一部を示したフローチャートである。
【図１１】第２の実施形態による動作の一部を示したフローチャートである。
【図１２】第３の実施形態による動作を示したフローチャートである。
【図１３】第４の実施形態による動作を示したフローチャートである。
【図１４】追加投入時の紙幣の搬送ルートの一部を示した説明図である。
【図１５】追加投入時の紙幣の搬送ルートの一部を示した説明図である。
【図１６】売上入金取引の取消時の、紙幣一時保留部１０２に集積されている紙幣の搬送ルートを示した説明図である。
【図１７】売上入金取引の取消時の、売上回収カセット１１２に収納されている紙幣の搬送ルートを示した説明図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてキャッシュレジスター２０ａおよびキャッシュレジスター２０ｂのように区別する。ただし、実質的に同一の機能構成を有する複数の構成要素の各々を特に区別する必要がない場合、同一符号のみを付する。例えば、キャッシュレジスター２０ａおよびキャッシュレジスター２０ｂを特に区別する必要が無い場合には、単にキャッシュレジスター２０と称する。
【００２０】
また、以下に示す項目順序に従って当該「発明を実施するための形態」を説明する。
１．現金処理装置の基本構成
２．各実施形態の詳細な説明
２−１．第１の実施形態
２−２．第２の実施形態
２−３．第３の実施形態
２−４．第４の実施形態
３．変形例
【００２１】
＜＜１．現金処理装置の基本構成＞＞
＜１−１．基本構成＞
まず、本発明の各実施形態に共通する現金処理装置１０の基本構成について説明する。図１は、現金処理装置１０が設置される店舗２の構成例を示した説明図である。店舗２は、例えば小売店やスーパーマーケットなどである。図１に示したように、店舗２には、キャッシュレジスター２０、および、現金処理装置１０が設置されている。また、現金処理装置１０は、例えば店舗２のバックヤードに設置される。
【００２２】
［１−１−１．キャッシュレジスター２０］
キャッシュレジスター２０は、店舗２に来店した顧客による商品購入の精算、および記録を行うための機器である。このキャッシュレジスター２０は、毎回の精算時の売上金額を自動集計することが可能である。なお、図１に示したように、店舗２には、キャッシュレジスター２０が複数台設置され得る。
【００２３】
［１−１−２．現金処理装置１０］
現金処理装置１０は、キャッシュレジスター２０の釣銭準備金を出金したり、また、店舗２における売上金を入金するための装置である。この現金処理装置１０は、釣銭出金や売上入金などの各種の機能を有する。
【００２４】
（１−１−２−１．現金処理装置１０の使用の流れ）
ここで、図２を参照して、店舗２での現金処理装置１０の使用の流れの一例について説明する。図２は、毎営業日における店舗２での現金処理装置１０の使用の流れを示したフローチャートである。図２に示したように、例えば、営業日の営業時間前に、オペレータは、現金処理装置１０に対して釣銭出金の入力を行うことにより、個々のキャッシュレジスター２０の釣銭準備金を出金する（Ｓ１１）。そして、オペレータは、出金された釣銭準備金を各キャッシュレジスター２０に保管する（Ｓ１３）。
【００２５】
その後、営業時間が終了した際には（Ｓ１５：Ｙｅｓ）、オペレータは、個々のキャッシュレジスター２０に保管されている現金を取り出す（Ｓ１７）。そして、オペレータは、現金処理装置１０に対して売上入金の入力を行い、かつ、Ｓ１７で取り出された現金を現金処理装置１０に投入する。そして、現金処理装置１０は、投入された現金の入金額からＳ１１で出金された出金額を減じた値を売上金額として計算する。さらに、現金処理装置１０は、投入された現金を、後述するリサイクルカセットまたは出金ホッパ１２４に収納する。（Ｓ１９）。
【００２６】
なお、Ｓ１７の動作時期、つまりキャッシュレジスター２０に保管されている現金をオペレータが取り出す時期は、営業時間の終了時に限定されず、例えば各キャッシュレジスター２０の担当者のシフトの交代時であってもよい。
【００２７】
（１−１−２−２．構成）
次に、図３および図４を参照して、各実施形態に共通する現金処理装置１０の構成について説明する。図３は、各実施形態に共通する現金処理装置１０の構成を示した説明図である。また、図４は、現金処理装置１０の側断面を概略的に示した説明図である。図３または図４に示したように、現金処理装置１０は、紙幣投入受取部１００、紙幣一時保留部１０２、紙幣鑑別部１０４、万券カセット１０６、五千券カセット１０８、千券カセット１１０、売上回収カセット１１２、リジェクト部１１４、硬貨投入口１１６、硬貨鑑別部１１８、硬貨一時保留部１２０、硬貨返却箱１２２、出金ホッパ１２４、硬貨回収庫１２６、硬貨出金箱１２８、カードリーダ部１３０、操作表示部１３２、および、制御部１５０を備える。
【００２８】
紙幣投入受取部１００は、オペレータが紙幣を現金処理装置１０に投入するための投入口である。また、紙幣投入受取部１００は、紙幣の出金口でもある。例えば、釣銭出金により出金される紙幣、および、後述する紙幣鑑別部１０４により正常ではないとしてリジェクトされた紙幣などが紙幣投入受取部１００に排出される。
【００２９】
紙幣一時保留部１０２は、例えば入金計数時や売上金作成時などに、一時的に紙幣が集積される部分である。例えば、紙幣一時保留部１０２には、紙幣投入受取部１００から投入された紙幣が一時的に集積される。
【００３０】
紙幣鑑別部１０４は、紙幣投入受取部１００から投入された紙幣が正常な紙幣であるか否かを各種センサによって鑑別する。
【００３１】
万券カセット１０６、五千券カセット１０８、および千券カセット１１０（以下、各リサイクルカセットと称する場合がある）は、万券、五千券、および千券の紙幣を収納する部分である。例えば、売上入金取引では、紙幣一時保留部１０２に一時的に集積された紙幣が各リサイクルカセットに搬送され、収納される。また、釣銭出金取引では、例えば出金額に相当する金種別の枚数の紙幣が各リサイクルカセットから取り出され、そして、紙幣投入受取部１００へ搬送される。
【００３２】
売上回収カセット１１２は、売上回収のためのカセットである。例えば、精算集計の入力がオペレータによりなされると、各リサイクルカセットに収納されている紙幣のうち、集計された売上金分の紙幣が売上回収カセット１１２へ搬送され、収納される。
【００３３】
リジェクト部１１４は、例えば紙幣鑑別部１０４によって正常ではないと鑑別された紙幣などのリジェクト紙幣を集積する部分である。例えば、紙幣一時保留部１０２から各リサイクルカセットに紙幣を搬送する過程でリジェクトされた紙幣、各リサイクルカセットから釣銭出金を行う過程でリジェクトされた紙幣、および、各リサイクルカセットから売上回収カセット１１２に紙幣を搬送する過程でリジェクトされた紙幣などをリジェクト部１１４は集積する。
【００３４】
硬貨投入口１１６は、オペレータが硬貨を投入するための投入口である。
【００３５】
硬貨鑑別部１１８は、硬貨投入口１１６から投入された硬貨が正常な硬貨であるか否かを各種センサによって鑑別する。
【００３６】
硬貨一時保留部１２０には、入金計数時などに、一時的に硬貨が集積される部分である。例えば、硬貨一時保留部１２０には、硬貨投入口１１６から投入された硬貨が一時的に集積される。
【００３７】
硬貨返却箱１２２は、硬貨の返却口である。例えば、硬貨鑑別部１１８により正常ではないと鑑別された硬貨などが硬貨返却箱１２２に排出される。
【００３８】
出金ホッパ１２４は、本発明におけるリサイクルカセットの一例である。この出金ホッパ１２４は、釣銭準備金の硬貨が収納される部分である。例えば、売上入金取引では、硬貨一時保留部１２０に一時的に集積された硬貨が出金ホッパ１２４に搬送され、収納される。また、釣銭出金取引では、例えば出金額に相当する金種別の枚数の硬貨が出金ホッパ１２４から取り出され、そして、硬貨出金箱１２８へ搬送される。
【００３９】
硬貨回収庫１２６は、本発明における回収カセットの一例である。この硬貨回収庫１２６は、売上回収のためのカセットである。例えば、精算集計の入力がオペレータによりなされると、出金ホッパ１２４に収納されている硬貨のうち、集計された売上金分の硬貨が硬貨回収庫１２６へ搬送され、収納される。
【００４０】
この硬貨回収庫１２６には、例えば扉が設けられており、かつ、扉が施錠可能となっている。また、硬貨回収庫１２６は、後述する硬貨出金箱１２８と比べて容量が大きく、また、各金種が区別されずに纏めて収納される。
【００４１】
硬貨出金箱１２８は、釣銭出金時の硬貨の出金口である。例えば、硬貨出金箱１２８は、金種別の硬貨の収納エリアが設けられた引出式の箱である。また、出金対象の硬貨は、金種ごとに、対応する収納エリアに排出される。
【００４２】
カードリーダ部１３０は、レジカードやＩＤカードなどの所定のカードに書き込まれた情報を読み取る。例えば、所定のカードがオペレータによりカードリーダ部１３０にかざされると、カードリーダ部１３０は、該当のカードの使用者の識別情報や、該当のカードの使用者に許可されている取引の種類を示す情報などを該当のカードから読み取る。なお、現金処理装置１０は、カードリーダ部１３０に加えて、あるいはカードリーダ部１３０に代えて、指紋認識を行う指紋認識部、または暗証番号の入力を受け付ける暗証番号入力部を有してもよい。
【００４３】
操作表示部１３２は、オペレータによる入力を受け付ける入力部としての機能、および各種画面を表示する表示部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置などにより実現される。また、入力部としての機能は例えばタッチパネルにより実現される。なお、表示部および入力部の機能は分離して構成されてもよい。
【００４４】
制御部１５０は、例えばＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを用いて、現金処理装置１０の動作を全般的に制御する。
【００４５】
例えば、制御部１５０は、カードリーダ部１３０により読み取られた情報と事前に登録されている情報との比較に基づいて、オペレータによる現金処理装置１０の利用可否を判定する。また、制御部１５０は、各種の機能の利用をオペレータが選択するためのメニュー画面を操作表示部１３２に表示させる。また、制御部１５０は、メニュー画面においてオペレータにより選択された機能の実行を制御する。以下、図５を参照してメニュー画面の具体例を説明した上で、制御部１５０の制御により実現される各種処理の概要を説明する。
【００４６】
（１−１−２−３．現金処理装置が行う各種処理）
図５は、メニュー画面の表示例（メニュー画面３０）を示した説明図である。図５に示したように、メニュー画面３０は、例えば、釣銭出金選択ボタン３００ａ、売上入金選択ボタン３００ｂ、精算集計選択ボタン３００ｃ、および売上回収選択ボタン３００ｄなどの複数の処理選択ボタン３００を含む。
【００４７】
‐‐釣銭出金
釣銭出金は、各リサイクルカセットおよび出金ホッパ１２４から釣銭準備金を出金するための処理である。例えば、メニュー画面３０において釣銭出金選択ボタン３００ａがオペレータにより選択されると、制御部１５０は、まず、事前に登録された「金種と枚数パターンの出金」、もしくは「任意の金種と枚数を指定する出金」のサブメニューを操作表示部１３２に表示させる。そして、制御部１５０は、表示されたサブメニューにおけるオペレータの入力に基づいて、各リサイクルカセット及び出金ホッパ１２４に収納されている現金（紙幣および硬貨）を紙幣投入受取部１００または硬貨出金箱１２８から出金する。
【００４８】
‐‐売上入金
売上入金は、例えばキャッシュレジスター２０から回収された現金を現金処理装置１０に収納するための処理である。例えば、メニュー画面３０において売上入金選択ボタン３００ｂがオペレータにより選択されると、制御部１５０は、紙幣投入受取部１００および硬貨投入口１１６のシャッタを開放させ、そして、紙幣および硬貨の投入を誘導する入金誘導画面を操作表示部１３２に表示させる。その後、制御部１５０は、紙幣投入受取部１００および硬貨投入口１１６から投入された紙幣および硬貨を計数する。そして、紙幣鑑別部１０４により正常と判断された紙幣は紙幣一時保留部１０２に集積され、また、硬貨鑑別部１１８により正常と判断された硬貨は硬貨一時保留部１２０に集積される。
【００４９】
さらに、制御部１５０は、計数により得られた入金合計金額を操作表示部１３２に表示させる。そして、入金合計金額の確認操作がオペレータにより行われると、紙幣一時保留部１０２から各リサイクルカセットに紙幣が搬送され、収納される。同様に、硬貨一時保留部１２０から出金ホッパ１２４に硬貨が搬送され、収納される。なお、収納時点で売上（入金合計が出金合計を上回る金額）が発生している場合には、売上額のうち紙幣に関しては、高額券が優先されて売上回収カセット１１２に収納される。また、売上額のうち硬貨に関しては、硬貨回収庫１２６に収納される。
【００５０】
‐‐精算集計
精算集計は、それまでの出金および入金取引を集計し、売上額（入金合計−出金合計）を算出する処理である。例えば、メニュー画面３０において精算集計選択ボタン３００ｃがオペレータにより選択されると、制御部１５０は、売上額に対応する紙幣の枚数と、既に売上回収カセット１１２に収納された紙幣の枚数との差分、および、売上額に対応する硬貨の枚数と、既に硬貨回収庫１２６に収納された硬貨の枚数との差分を搬送対象として算出する。そして、制御部１５０は、高額券の紙幣を優先して、搬送対象の枚数の紙幣を各リサイクルカセットから売上回収カセット１１２に搬送させる。また、制御部１５０は、搬送対象の枚数の硬貨を出金ホッパ１２４から硬貨回収庫１２６に搬送させる。
【００５１】
さらに、制御部１５０は、算出した売上金額を操作表示部１３２に表示させたり、または、レシートに印字し、印字されたレシートを現金処理装置１０外へ排出させる。
【００５２】
‐‐売上回収
売上回収は、売上金をオペレータに回収させるための処理である。この売上回収の具体的な方法は、カセット回収と出金口回収との２種類がある。例えば、精算集計取引によって売上額が算出された後に、メニュー画面３０において売上回収選択ボタン３００ｄがオペレータにより選択されると、制御部１５０は、カセット回収と出金口回収のいずれかをオペレータが選択するための選択メニューを操作表示部１３２に表示させる。
【００５３】
ここで、カセット回収は、売上回収カセット１１２および硬貨回収庫１２６に売上金を搬送させることにより、売上金を回収する方法である。例えば、選択メニューにおいて「カセット回収」が選択されると、制御部１５０は、まず、売上金分の紙幣を各リサイクルカセットから売上回収カセット１１２へ搬送させ、また、売上金分の硬貨を出金ホッパ１２４から硬貨回収庫１２６へ搬送させる。
【００５４】
ここで、図６および図７を参照して、「カセット回収」が選択された際の紙幣の搬送ルートについて説明する。図６に示したように、制御部１５０は、まず、売上金分の紙幣を各リサイクルカセットから紙幣一時保留部１０２まで搬送路１６０上を搬送させる。そして、制御部１５０は、図７に示したように、紙幣一時保留部１０２に搬送された紙幣を売上回収カセット１１２まで搬送路１６０上を搬送させる。
【００５５】
そして、全額搬送が完了したら、制御部１５０は、現金処理装置１０の筐体の扉の鍵を解錠し、硬貨回収庫１２６および売上回収カセット１１２の抜き取りを誘導するための制御を行う。そして、オペレータによる売上金の回収の終了が確認されたら、制御部１５０は、取引を終了する。具体的には、オペレータは、装着中の売上回収カセット１１２を抜き取り、そして、空の売上回収カセット１１２をセットする。また、オペレータは、硬貨回収庫１２６の扉を解錠し、硬貨回収庫１２６内の現金を回収し、そして、硬貨回収庫１２６の扉を施錠する。なお、オペレータは、回収した売上金を例えば金融機関などに入金する。
【００５６】
また、出金口回収は、紙幣投入受取部１００および硬貨投入口１１６に売上金を搬送させることにより、売上金を回収する方法である。例えば、選択メニューにおいて「出金口回収」が選択されると、制御部１５０は、例えば図８に示したように、売上金分の紙幣を各リサイクルカセットから紙幣投入受取部１００まで搬送路１６０上を搬送させる。また、制御部１５０は、売上金分の硬貨を出金ホッパ１２４から硬貨出金箱１２８へ搬送させる。
【００５７】
そして、制御部１５０は、例えば、搬送された現金の受け取りを誘導する表示画面を操作表示部１３２に表示させる。そして、現金の受け取りの終了が確認されたら、制御部１５０は、取引を終了する。なお、オペレータは、出金口回収により回収された現金を例えばバッグなどに入れて所定の場所へ搬送する。
【００５８】
＜１−２．課題の整理＞
以上、各実施形態に共通する現金処理装置１０の基本構成について説明した。ところで、公知の技術では、売上回収の方法をオペレータが自由に選択可能であった。このため、非効率な回収方法、つまり、回収作業の時間がより必要となる回収方法が選択される恐れがある。
【００５９】
例えば、「カセット回収」では、現金処理装置の扉を開けて回収カセットの脱着を誘導する処理を行うので、一定の処理時間が必要となる。このため、売上金の枚数が少ない場合に「カセット回収」が選択されてしまうと、売上金を回収するために余計な時間がかかってしまう。また、通常、紙幣投入受取部１００および硬貨出金箱１２８では、一度に出金可能な現金の枚数に上限が設けられている。このため、売上金の枚数が多い場合に「出金口回収」が選択されてしまうと、現金の受取回数が複数回必要となり、手間となる。その結果、売上回収取引にかかる時間も増加してしまう。
【００６０】
そこで、上記事情を一着眼点にして、各実施形態による現金処理装置１０を創作するに至った。各実施形態による現金処理装置１０は、売上金の枚数によって、より効率的な回収方法を自動的に決定することが可能である。以下、各実施形態について順次詳細に説明する。
【００６１】
＜＜２．各実施形態の詳細な説明＞＞
＜２−１．第１の実施形態＞
［２−１−１．構成］
まず、第１の実施形態による構成について詳細に説明する。なお、以下では、上記の説明と重複する内容については説明を省略する。
【００６２】
（２−１−１−１．制御部１５０）
第１の実施形態による制御部１５０は、紙幣投入受取部１００に予め設定されている紙幣制限枚数と、回収対象の売上金に含まれる紙幣の枚数との比較に基づいて、当該紙幣に関してカセット回収処理と出金口回収処理のいずれを実行するかを決定する。ここで、回収対象の売上金は、本発明における第１の現金の一例である。
【００６３】
例えば、売上金に含まれる紙幣の枚数が紙幣制限枚数よりも大きい場合には、制御部１５０は、当該紙幣に関してカセット回収処理を実行する。また、売上金に含まれる紙幣の枚数が紙幣制限枚数以下である場合には、制御部１５０は、当該紙幣に関して出金口回収処理を実行する。ここで、カセット回収処理は、売上回収カセット１１２または硬貨回収庫１２６へ回収対象の現金を搬送させる処理である。また、出金口回収処理は、紙幣投入受取部１００または硬貨出金箱１２８へ回収対象の現金を搬送させる処理である。また、紙幣制限枚数は、例えば一回の出金処理で紙幣投入受取部１００に排出可能な紙幣の上限枚数である。
【００６４】
一般的に、例えば回収対象の紙幣の枚数が少ない場合には、出金口回収では扉を開ける手間が不要であるので、出金口回収の方がカセット回収よりも作業時間が短くなる。上記の制御例によれば、回収対象の紙幣の枚数によって、より効率的な回収方法が自動的に決定される。
【００６５】
また、制御部１５０は、硬貨出金箱１２８に予め設定されている硬貨制限枚数と回収対象の売上金に含まれる硬貨の枚数との比較に基づいて、当該硬貨に関してカセット回収処理と出金口回収処理のいずれを実行するかを決定する。例えば、売上金に含まれる硬貨の枚数が硬貨制限枚数よりも大きい場合には、制御部１５０は、当該硬貨に関してカセット回収処理を実行する。また、売上金に含まれる硬貨の枚数が硬貨制限枚数以下である場合には、制御部１５０は、当該硬貨に関して出金口回収処理を実行する。ここで、硬貨制限枚数は、例えば一回の出金処理で硬貨出金箱１２８に排出される硬貨の枚数である。
【００６６】
なお、売上金に含まれる紙幣の枚数が紙幣制限枚数よりも大きく、かつ、売上金に含まれる硬貨の枚数が硬貨制限枚数以下である場合、または、売上金に含まれる紙幣の枚数が紙幣制限枚数以下であり、かつ、売上金に含まれる硬貨の枚数が硬貨制限枚数よりも大きい場合には、制御部１５０は、紙幣と硬貨とで異なる種類の回収処理を実行してもよいし、または、同じ種類の回収処理を実行してもよい。
【００６７】
［２−１−２．動作］
以上、第１の実施形態による構成について説明した。続いて、第１の実施形態による動作について、図９を参照して説明する。なお、以下では、オペレータにより精算集計取引が選択され、売上金額が算出された後に、オペレータにより売上回収取引が選択される場面における動作例について説明する。また、以下では、紙幣が回収される場面における動作例について説明するが、硬貨が回収される場面に関しても概略同様な動作が適用可能である。
【００６８】
図９に示したように、まず、現金処理装置１０の操作表示部１３２に表示されているメニュー画面において、オペレータは「売上回収」を選択する（Ｓ１０１）。そして、オペレータは、精算集計取引において算出された売上金額に基づいて、売上金として回収すべき紙幣の枚数を算出する（Ｓ１０３）。
【００６９】
その後、現金処理装置１０の制御部１５０は、Ｓ１０３で算出された紙幣の枚数が紙幣制限枚数よりも大きいか否かを判定する（Ｓ１０５）。算出された紙幣の枚数が紙幣制限枚数よりも大きい場合には（Ｓ１０５：Ｙｅｓ）、制御部１５０は、紙幣の回収方法をカセット回収に設定する（Ｓ１０７）。一方、算出された紙幣の枚数が紙幣制限枚数以下である場合には（Ｓ１０５：Ｎｏ）、制御部１５０は、紙幣の回収方法を出金口回収に設定する（Ｓ１０９）。
【００７０】
Ｓ１０７もしくはＳ１０９の後に、操作表示部１３２は、制御部１５０の制御に従って、Ｓ１０７もしくはＳ１０９で設定された回収方法を示す回収方法確認画面を表示する（Ｓ１１１）。
【００７１】
その後、回収方法確認画面において例えば「確認」が選択されるなど、「変更」がオペレータにより選択されなかった場合には（Ｓ１１３：Ｎｏ）、現金処理装置１０は、後述するＳ１１７の動作を行う。
【００７２】
一方、回収方法確認画面において回収方法の「変更」がオペレータにより選択された場合には（Ｓ１１３：Ｙｅｓ）、制御部１５０は、Ｓ１０７もしくはＳ１０９で設定された回収方法とは別の回収方法を設定する（Ｓ１１５）。例えば、Ｓ１０７もしくはＳ１０９で設定された回収方法が「出金口回収」である場合には、制御部１５０は、回収方法を「カセット回収」に変更する。
【００７３】
その後、制御部１５０は、設定された回収方法により、Ｓ１０３で算出された枚数の紙幣の回収処理を実行する（Ｓ１１７）。
【００７４】
［２−１−３．効果］
以上、例えば図９などを参照して説明したように、第１の実施形態による現金処理装置１０は、紙幣投入受取部１００に設定されている紙幣制限枚数と回収対象の売上金に含まれる紙幣の枚数との比較に基づいて、当該紙幣に関してカセット回収処理と出金口回収処理のいずれを実行するかを決定する。また、現金処理装置１０は、硬貨出金箱１２８に設定されている硬貨制限枚数と回収対象の売上金に含まれる硬貨の枚数との比較に基づいて、当該硬貨に関してカセット回収処理と出金口回収処理のいずれを実行するかを決定する。このため、予め設定されている紙幣制限枚数または硬貨制限枚数を基準としてより効率的な回収方法が自動的に決定される。
【００７５】
従って、より短い時間で売上回収取引を終了させることができ、売上回収取引にかかる時間のロスを最小限に抑えることができる。その結果、店舗２における業務効率の向上につながる。
【００７６】
＜２−２．第２の実施形態＞
以上、第１の実施形態について説明した。次に、第２の実施形態について説明する。まず、第２の実施形態を創作するに至った背景について説明する。
【００７７】
公知の技術では、回収方法としてカセット回収が一旦オペレータにより選択されると、回収対象の売上金が全て回収されるまで回収方法を途中で変更することができない。例えば、カセット回収による売上回収取引の途中に、売上回収カセット１１２または硬貨回収庫１２６が一度フルになった後の残りの売上金の回収に関しても、回収方法としてカセット回収が自動的に決定されてしまう。その結果、残りの売上金の枚数が少ない場合であってもカセット回収により回収しなければならず、オペレータの手間がかかる。
【００７８】
後述するように、第２の実施形態による現金処理装置１０は、カセット回収による売上回収の途中にフルが発生した際の残りの売上金の回収に関して、より効率的な回収方法を自動的に決定することが可能である。
【００７９】
［２−２−１．構成］
第２の実施形態による現金処理装置１０に含まれる構成要素は、第１の実施形態と同様である。以下では、第１の実施形態と異なる機能を有する構成要素についてのみ説明を行う。
【００８０】
（２−２−１−１．制御部１５０）
第２の実施形態による制御部１５０は、紙幣に関するカセット回収処理の実行時において売上回収カセット１１２がフルになった際に、紙幣投入受取部１００に設定されている紙幣制限枚数と、回収対象の残りの売上金に含まれる紙幣の枚数との比較に基づいて、当該紙幣に関してカセット回収処理と出金口回収処理のいずれを実行するかを決定する。また、硬貨に関するカセット回収処理の実行時において硬貨出金箱１２８がフルになった際に、制御部１５０は、硬貨出金箱１２８に設定されている硬貨制限枚数と、回収対象の残りの売上金に含まれる硬貨の枚数との比較に基づいて、当該硬貨に関してカセット回収処理と出金口回収処理のいずれを実行するかを決定する。
【００８１】
なお、具体的な制御方法については、第１の実施形態と概略同様であるので、説明を省略する。
【００８２】
［２−２−２．動作］
以上、第２の実施形態による構成について説明した。続いて、第２の実施形態による動作について、図１０および図１１を参照して説明する。なお、以下では、売上回収取引の回収方法として「カセット回収」が最初に設定された場面における動作例について説明する。また、以下では、紙幣が回収される場面における動作例について説明するが、硬貨が回収される場面に関しても概略同様な動作が適用可能である。
【００８３】
なお、図１０に示したＳ２０１は、第１の実施形態におけるＳ１０１と同様である。図１０に示したように、Ｓ２０１の後、操作表示部１３２に表示される選択メニューにおいて、オペレータは「カセット回収」を選択する（Ｓ２０３）。
【００８４】
なお、図１０に示したＳ２０５は、第１の実施形態におけるＳ１０３と同様である。
【００８５】
その後、制御部１５０は、Ｓ２０５で算出された枚数の紙幣に関してカセット回収処理を実行する（Ｓ２０７）。
【００８６】
ここで、図１１を参照して、Ｓ２０７より後の動作について説明する。図１１に示したように、Ｓ２０７で開始されたカセット回収処理の実行途中において売上回収カセット１１２がフルになったか否かを監視する（Ｓ２１１）。売上回収カセット１１２がフルではない状態でカセット回収処理が終了した場合には（Ｓ２１１：Ｎｏ）、本動作は終了する。
【００８７】
一方、カセット回収処理の実行途中において売上回収カセット１１２がフルになった場合には（Ｓ２１１：Ｙｅｓ）、次に、制御部１５０は、Ｓ２０５で算出された枚数の紙幣のうち未搬送の紙幣の枚数を算出する。そして、未搬送の紙幣の枚数が紙幣制限枚数よりも大きいか否かを判定する（Ｓ２１３）。
【００８８】
未搬送の紙幣の枚数が紙幣制限枚数よりも大きい場合には（Ｓ２１３：Ｙｅｓ）、制御部１５０は、回収カセットの交換を誘導する処理を行う（Ｓ２１５）。そして、オペレータは、売上回収カセット１１２を現金処理装置１０から抜き取り、そして、空の売上回収カセット１１２を現金処理装置１０にセットする。その後、制御部１５０は、未搬送の紙幣に関してカセット回収処理を実行する（Ｓ２１７）。
【００８９】
一方、未搬送の紙幣の枚数が紙幣制限枚数以下である場合には（Ｓ２１３：Ｎｏ）、操作表示部１３２は、制御部１５０の制御に従って、回収方法変更画面を表示する（Ｓ２１９）。
【００９０】
Ｓ２１９で表示された回収方法変更画面において回収方法の「変更」が選択されなかった場合には（Ｓ２２１：Ｎｏ）、現金処理装置１０は、上述したＳ２１５以降の動作を行う。
【００９１】
一方、Ｓ２１９で表示された回収方法変更画面において回収方法の「変更」が選択された場合には（Ｓ２２１：Ｙｅｓ）、制御部１５０は、回収方法を出金口回収に変更する（Ｓ２２３）。そして、制御部１５０は、未搬送の紙幣に関して出金口回収処理を実行する（Ｓ２２５）。
【００９２】
［２−２−３．効果］
以上、図１０および図１１を参照して説明したように、第２の実施形態による現金処理装置１０は、カセット回収処理の実行時において売上回収カセット１１２がフルになった際に、紙幣制限枚数と、回収対象の売上金に含まれる紙幣の枚数との比較に基づいて、当該紙幣に関してカセット回収処理と出金口回収処理のいずれを実行するかを決定する。このため、カセット回収による売上回収の途中にフルが発生した際の残りの売上金の回収に関して、より効率的な回収方法が自動的に決定される。
【００９３】
例えば、残りの紙幣の枚数が紙幣制限枚数以下である場合には、現金処理装置１０は、残りの枚数の紙幣に関して出金口回収処理を実行する。通常、カセット回収では、売上回収カセット１１２を取り換える作業が必要となるので、カセット回収は、出金口回収よりも作業時間が長くなる。第２の実施形態によれば、残りの紙幣の枚数によって、作業時間がより短い回収方法を自動的に決定することができる。そして、より短い時間で売上回収取引を終了させることができる。
【００９４】
＜２−３．第３の実施形態＞
以上、第２の実施形態について説明した。次に、第３の実施形態について説明する。後述するように、第３の実施形態によれば、回収方法を決定するための設定枚数がユーザのニーズに応じて設定されることにより、ユーザにとって最適な回収方法が自動的に決定される。
【００９５】
［２−３−１．構成］
第３の実施形態による現金処理装置１０に含まれる構成要素は、第１の実施形態と同様である。以下では、第１の実施形態と異なる機能を有する構成要素についてのみ説明を行う。
【００９６】
（２−３−１−１．制御部１５０）
第３の実施形態による制御部１５０は、オペレータにより予め設定されている紙幣設定枚数と回収対象の売上金に含まれる紙幣の枚数との比較に基づいて、当該紙幣に関してカセット回収処理と出金口回収処理のいずれを実行するかを決定する。ここで、紙幣設定枚数は、例えば一回の出金処理で紙幣投入受取部１００に排出される紙幣の枚数の設定値である。
【００９７】
例えば、売上金に含まれる紙幣の枚数が紙幣設定枚数よりも大きい場合には、制御部１５０は、当該紙幣に関してカセット回収処理を実行する。また、売上金に含まれる紙幣の枚数が紙幣設定枚数以下である場合には、制御部１５０は、当該紙幣に関して出金口回収処理を実行する。
【００９８】
また、制御部１５０は、オペレータにより予め設定されている硬貨設定枚数と回収対象の売上金に含まれる硬貨の枚数との比較に基づいて、当該硬貨に関してカセット回収処理と出金口回収処理のいずれを実行するかを決定する。ここで、硬貨設定枚数は、例えば一回の出金処理で硬貨出金箱１２８に排出される硬貨の枚数の設定値である。
【００９９】
例えば、売上金に含まれる硬貨の枚数が硬貨設定枚数よりも大きい場合には、制御部１５０は、当該硬貨に関してカセット回収処理を実行する。また、売上金に含まれる硬貨の枚数が硬貨設定枚数以下である場合には、制御部１５０は、当該硬貨に関して出金口回収処理を実行する。
【０１００】
‐設定枚数の設定
なお、紙幣設定枚数および硬貨設定枚数の値は、現金処理装置１０が設置されている店舗２ごとにそれぞれ設定されてもよいし、または、オペレータごとにそれぞれ設定されてもよい。
【０１０１】
一般的に、カセット回収にかかる作業時間と出金口回収にかかる作業時間との差は、オペレータによってばらつきがある。例えば、オペレータによっては、出金口回収にかかる作業時間がカセット回収にかかる作業時間よりも２倍以上短くなり得る。そこで、例えば該当のオペレータが出金口回収にかかった過去の作業平均時間と、カセット回収にかかった過去の作業平均時間とに基づいて、売上回収作業における総作業時間が最も短くなるように算出された紙幣（または硬貨）の枚数が紙幣設定枚数（または硬貨設定枚数）として、該当のオペレータに対して設定されてもよい。これにより、当該オペレータにとって売上回収取引にかかる時間を最小化することができる。
【０１０２】
また、紙幣設定枚数（または硬貨設定枚数）は、オペレータが例えば手持ちのバッグや台車などで一度に搬送可能な範囲内の枚数が設定されてもよい。これにより、オペレータの利便性が向上する。
【０１０３】
‐設定枚数の記憶
また、紙幣設定枚数および硬貨設定枚数の値は、現金処理装置１０内の例えばＨＤＤ（Ｈａｒｄ  Ｄｉｓｋ  Ｄｒｉｖｅ）などの記憶装置（図示省略）に記憶されていてもよいし、または、オペレータが保持する所定のカードに記録されていてもよい。
【０１０４】
例えば、オペレータにより設定された紙幣設定枚数および硬貨設定枚数が当該オペレータのカードに記録されており、かつ、当該オペレータのカードから紙幣設定枚数および硬貨設定枚数がカードリーダ部１３０により読み取られた場合には、制御部１５０は、カードリーダ部１３０により読み取られた紙幣設定枚数と、回収対象の売上金に含まれる紙幣の枚数との比較に基づいて、当該紙幣に関してカセット回収処理と出金口回収処理のいずれを実行するかを決定してもよい。また、制御部１５０は、カードリーダ部１３０により読み取られた硬貨設定枚数と、回収対象の売上金に含まれる硬貨の枚数との比較に基づいて、当該硬貨に関してカセット回収処理と出金口回収処理のいずれを実行するかを決定してもよい。
【０１０５】
［２−３−２．動作］
以上、第３の実施形態による構成について説明した。続いて、第３の実施形態による動作について、図１２を参照して説明する。なお、以下では、オペレータにより精算集計取引が選択された後に、オペレータにより売上回収取引が選択される場面における動作例について説明する。また、以下では、紙幣が回収される場面における動作例について説明するが、硬貨が回収される場面に関しても概略同様な動作が適用可能である。
【０１０６】
なお、図１２に示したＳ３０１〜Ｓ３０３の動作は、第１の実施形態によるＳ１０１〜Ｓ１０３と同様である。
【０１０７】
その後、現金処理装置１０の制御部１５０は、Ｓ３０３で算出された紙幣の枚数が、オペレータにより設定された紙幣設定枚数よりも大きいか否かを判定する（Ｓ３０５）。算出された紙幣の枚数が紙幣設定枚数よりも大きい場合には（Ｓ３０５：Ｙｅｓ）、制御部１５０は、紙幣の回収方法をカセット回収に設定する（Ｓ３０７）。一方、算出された紙幣の枚数が紙幣設定枚数以下である場合には（Ｓ３０５：Ｎｏ）、制御部１５０は、紙幣の回収方法を出金口回収に設定する（Ｓ３０９）。
【０１０８】
なお、図１２に示したＳ３１１〜Ｓ３１７の動作は、第１の実施形態によるＳ１１１〜Ｓ１１７と同様である。
【０１０９】
［２−３−３．効果］
以上、例えば図１２などを参照して説明したように、第３の実施形態による現金処理装置１０は、オペレータにより設定された紙幣設定枚数と、回収対象の売上金に含まれる紙幣の枚数との比較に基づいて、当該紙幣に関してカセット回収処理と出金口回収処理のいずれを実行するかを決定する。このため、例えばオペレータなどのユーザのニーズに応じて設定された紙幣設定枚数を基準として、ユーザにとって最適な回収方法が自動的に決定される。
【０１１０】
＜２−４．第４の実施形態＞
以上、第３の実施形態について説明した。次に、第４の実施形態について説明する。後述するように、第４の実施形態によれば、売上入金が取り消された場面における、売上回収カセット１１２に一旦収納された紙幣の回収に関してより効率的な回収方法を決定することが可能である。
【０１１１】
［２−４−１．構成］
第４の実施形態による現金処理装置１０に含まれる構成要素は、第１の実施形態と同様である。以下では、第１の実施形態と異なる機能を有する構成要素についてのみ説明を行う。
【０１１２】
（２−４−１−１．制御部１５０）
第４の実施形態による制御部１５０は、取引中である売上入金取引が取り消された際の、売上入金取引において売上回収カセット１１２に収納された紙幣の枚数と、紙幣投入受取部１００に設定されている紙幣制限枚数との比較に基づいて、売上回収カセット１１２に収納された紙幣を紙幣投入受取部１００へ搬送させるか否かを決定する。なお、売上回収カセット１１２に収納された紙幣は、本発明における第２の現金の一例である。
【０１１３】
例えば、売上入金取引が取り消された際の、売上入金取引において売上回収カセット１１２に収納された紙幣の枚数が紙幣制限枚数以下である場合には、制御部１５０は、売上回収カセット１１２に収納された紙幣を紙幣投入受取部１００へ搬送させる。また、売上入金取引が取り消された際の、売上入金取引において売上回収カセット１１２に収納された紙幣の枚数が紙幣制限枚数よりも大きい場合には、制御部１５０は、売上回収カセット１１２の抜き取りを誘導するための制御を実行する。
【０１１４】
［２−４−２．動作］
以上、第４の実施形態による構成について説明した。続いて、第４の実施形態による動作について、図１３を参照して説明する。なお、以下では、オペレータにより売上入金取引が選択された場面における動作例について説明する。また、以下では、紙幣が回収される場面における動作例について説明する。
【０１１５】
図１３に示したように、まず、現金処理装置１０の操作表示部１３２に表示されているメニュー画面において、オペレータは「売上入金」を選択する（Ｓ４０１）。
【０１１６】
その後、制御部１５０は、紙幣投入受取部１００のシャッタを開放させ、そして、紙幣の投入を誘導する入金誘導画面を操作表示部１３２に表示させる（Ｓ４０３）。
【０１１７】
その後、オペレータは、投入対象の紙幣の一部を紙幣投入受取部１００にセットする（Ｓ４０５）。そして、制御部１５０は、Ｓ４０５でセットされた紙幣を計数するとともに、当該紙幣を紙幣一時保留部１０２に集積させる。そして、操作表示部１３２は、制御部１５０の制御に従って、オペレータが最終確認を行うための収納確認画面を表示する（Ｓ４０７）。そして、収納確認画面において「確認」がオペレータにより選択された場合には（Ｓ４０９：Ｙｅｓ）、制御部１５０は、紙幣一時保留部１０２に集積されている紙幣を各リサイクルカセットに収納させる。なお、各リサイクルカセットがフルになった場合には、制御部１５０は、各リサイクルカセットに収納されている紙幣のうち売上金分の紙幣を売上回収カセット１１２に搬送させ、収納させる（Ｓ４１１）。
【０１１８】
その後、オペレータが紙幣の追加投入（追加セット）を行わない場合には（Ｓ４１３：Ｎｏ）、本動作は終了する。一方、紙幣の追加投入（追加セット）を行う場合には（Ｓ４１３：Ｙｅｓ）、操作表示部１３２に表示される選択メニュー画面において、オペレータは「追加投入」を選択する。その後、現金処理装置１０は、再びＳ４０３の動作を行う。
【０１１９】
ここで、図１４および図１５を参照して、紙幣が現金処理装置１０に追加投入された際の紙幣の搬送ルートについて説明する。図１４に示したように、制御部１５０は、まず、紙幣投入受取部１００から新たに投入された紙幣を紙幣一時保留部１０２まで搬送路１６０上を搬送させ、紙幣一時保留部１０２に集積させる。そして、制御部１５０は、図１５に示したように、紙幣一時保留部１０２に集積された紙幣を売上回収カセット１１２まで搬送路１６０上を搬送させる。
【０１２０】
Ｓ４０９において、収納確認画面内の「（収納の）取消」がオペレータにより選択された場合には（Ｓ４０９：Ｎｏ）、制御部１５０は、まず、例えば図１６に示したように、紙幣一時保留部１０２に集積されている紙幣、つまり、Ｓ４０５で投入され、かつ、未収納である紙幣を紙幣投入受取部１００まで搬送路１６０上を搬送させる（Ｓ４１５）。
【０１２１】
その後、制御部１５０は、売上回収カセット１１２に現在収納されている紙幣の枚数が紙幣制限枚数よりも大きいか否かを判定する（Ｓ４１７）。収納されている紙幣の枚数が紙幣制限枚数よりも大きい場合には（Ｓ４１７：Ｙｅｓ）、制御部１５０は、例えば売上回収カセット１１２の抜き取りを促す表示を操作表示部１３２に表示させるなど、売上回収カセット１１２の抜き取りを誘導するための制御を実行する。そして、オペレータは、カセット回収を行う（Ｓ４１９）。そして、本動作は終了する。
【０１２２】
一方、売上回収カセット１１２に収納されている紙幣の枚数が紙幣制限枚数以下である場合には（Ｓ４１７：Ｎｏ）、制御部１５０は、例えば図１７に示したように、売上回収カセット１１２に現在収納されている紙幣を紙幣投入受取部１００まで搬送路１６０上を搬送させる（Ｓ４２１）。そして、本動作は終了する。
【０１２３】
［２−４−３．効果］
以上、例えば図１３などを参照して説明したように、第４の実施形態による現金処理装置１０は、取引中である売上入金取引が取り消された際に、当該売上入金取引において売上回収カセット１１２に収納された紙幣の枚数と紙幣制限枚数との比較に基づいて、売上回収カセット１１２に収納されている紙幣を紙幣投入受取部１００へ搬送させるか、または、売上回収カセット１１２の抜き取りを誘導するための制御を実行する。このため、売上入金が取り消された場面において、売上回収カセット１１２に一旦収納された紙幣の枚数および紙幣制限枚数を基準として、より効率的な回収方法が自動的に決定される。
【０１２４】
従って、売上入金取引の取消に伴う紙幣の回収作業をより短い時間で終了させることができる。その結果、店舗２における業務効率の向上につながる。
【０１２５】
＜＜３．変形例＞＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２６】
例えば、上述した各実施形態では現金処理装置１０が例えばスーパーマーケットなどの店舗２に設置される入出金機である例について説明したが、かかる例に限定されない。例えば、現金処理装置１０は、商業施設などに設置され、入出金を管理するための現金入出金装置などにも適用可能である。
【０１２７】
また、上述した各実施形態の動作における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。
【符号の説明】
【０１２８】
１０  現金処理装置
２０  キャッシュレジスター
１００  紙幣投入受取部
１０２  紙幣一時保留部
１０４  紙幣鑑別部
１０６  万券カセット
１０８  五千券カセット
１１０  千券カセット
１１２  売上回収カセット
１１４  リジェクト部
１１６  硬貨投入口
１１８  硬貨鑑別部
１２０  硬貨一時保留部
１２２  硬貨返却箱
１２４  出金ホッパ
１２６  硬貨回収庫
１２８  硬貨出金箱
１３０  カードリーダ部
１３２  操作表示部
１５０  制御部
１６０  搬送路
【図１】
0006536229.tif 000002
【図２】
0006536229.tif 000003
【図３】
0006536229.tif 000004
【図４】
0006536229.tif 000005
【図５】
0006536229.tif 000006
【図６】
0006536229.tif 000007
【図７】
0006536229.tif 000008
【図８】
0006536229.tif 000009
【図９】
0006536229.tif 000010
【図１０】
0006536229.tif 000011
【図１１】
0006536229.tif 000012
【図１２】
0006536229.tif 000013
【図１３】
0006536229.tif 000014
【図１４】
0006536229.tif 000015
【図１５】
0006536229.tif 000016
【図１６】
0006536229.tif 000017
【図１７】
0006536229.tif 000018